(57)【要約】【課題】  被調理物毎にユーザーの好みに合せた調理レシピに対応する調理情報を認識し、認識した調理情報に従って自動的に被調理物を調理することができる加熱調理器を提供する。【解決手段】  前面にかざされたコップ１５を撮影する電子カメラ１３と、被調理物を収容するコップ１５の映像情報とコップ１５に関連付けられた個別調理情報とを記憶する情報記憶手段と、扉１４の開閉を検知する検知手段と、映像手段の前にコップがかざされることにより、電子カメラ１３によって撮影された容器の映像情報に基づき情報記憶手段から関連する個別調理情報を読み出し、検知部により扉１４が閉じられたことが検知されると、読み出した個別調理情報に従って調理を開始する調理制御手段とを備える。【選択図】  図３
2005140418.tif 000002
【特許請求の範囲】
【請求項１】
被調理物を調理する加熱調理器であって、
前面にかざされた容器を撮影する撮像手段と、
被調理物を収容する前記容器の映像情報とその容器に関連付けられた個別調理情報とを記憶する情報記憶手段と、
扉の開閉を検知する検知手段と、
前記映像手段の前に容器がかざされることにより、撮像手段によって撮影された容器の映像情報に基づき前記情報記憶手段から関連する個別調理情報を読み出し、前記検知部により扉が閉じられたことが検知されると、読み出した個別調理情報に従って調理を開始する調理制御手段とを備えたことを特徴とする加熱調理器。
【請求項２】
前記情報記憶手段に容器の映像情報とその容器に関連付けられる個別調理情報とを登録する登録手段を更に備えており、
前記登録手段は、前記撮像手段の前に容器がかざされることにより、撮像手段によって撮影された容器の映像情報を前記情報記憶手段に登録するとともに、合せて入力された個別調理情報を前記容器の映像情報に関連付けて前記情報記憶手段に登録することを特徴とする請求項１に記載の加熱調理器。
【請求項３】
被調理物を調理する加熱調理器であって、
前面にかざされた容器及び被調理物の包装物を撮影する撮像手段と、
前記被調理物の包装物に記載されている調理情報を取得する取得手段と、
被調理物を収容する前記容器の映像情報とその容器に関連付けられた前記被調理物の個別調理情報を記憶する情報記憶手段と、
扉の開閉を検知する検知手段と、
前記映像手段の前に容器がかざされることにより、撮像手段によって撮影され、前記取得手段により取得された調理情報の中の調理種別に基づき前記情報記憶部から関連する個別情報を読み出し、前記検知部により扉が閉じられたことが検知されると、読み出した個別調理情報に従って調理を開始する調理制御手段とを備えたことを特徴とする加熱調理器。
【請求項４】
前記情報記憶手段に容器の映像情報とその容器に関連付けられる個別調理情報とを登録する登録手段を更に備えており、
前記登録手段は、前記撮像手段の前に容器がかざされることにより、撮像手段によって撮影された容器の映像情報を前記情報記憶手段に登録するとともに、前記撮像手段の前に包装物がかざされることにより、撮像手段によって撮影された包装物に記載されている調理情報を取り込み、合せて入力された調理情報を加味した個別調理情報を前記容器の映像情報に関連付けて前記情報記憶手段に登録することを特徴とする請求項３に記載の加熱調理器。
【請求項５】
前記情報記憶手段に容器の映像情報とその容器に関連付けられる個別調理情報とを登録する登録手段と、
ネットワーク上に公開された各種被調理物の調理情報を取得可能な第２の取得手段とを備えており、
前記登録手段は、前記撮像手段の前に容器がかざされることにより、撮像手段によって撮影された容器の映像情報を前記情報記憶手段に登録するとともに、前記第２の取得手段より所望の被調理物の調理情報を取り込み、合せて入力された調理情報を加味した個別調理情報を前記容器の映像情報に関連付けて前記情報記憶手段に登録することを特徴とする請求項３に記載の加熱調理器。
【請求項６】
前記第２の取得手段が前記ネットワークに接続可能な情報端末であり、前記登録手段は、前記情報情報端末から情報伝達手段を介して被調理物の調理情報を取り込むことを特徴とする請求項５に記載の加熱調理器。
【請求項７】
前記情報伝達手段が、無線若しくは有線の通信回線、又は被調理物の調理情報を記憶した着脱可能な記憶媒体であることを特徴とする請求項６に記載の加熱調理器。
【請求項８】
撮影機能と送信機能を有する外部機器から送信されてくる各種情報を受信する受信手段を備えており、
前記登録手段は、前記外部機器から送信されてくる容器の映像情報を前記情報記憶手段に登録することを特徴とする請求項２又は請求項４に記載の加熱調理器。
【請求項９】
前記情報記憶手段に記憶されている容器の映像情報及び個別調理情報を表示する表示手段と、
この表示手段に表示されている内容を変更することができる変更手段とを備えたことを特徴とする請求項１乃至請求項８のいずれかに記載の加熱調理器。
【請求項１０】
前記容器の映像情報は、容器の形状、柄及び色のうち少なくとも１つを含むことを特徴とする請求項１乃至請求項９のいずれかに記載の加熱調理器。
【請求項１１】
前記取得手段により取得される前記被調理物の包装物に記載されている調理情報がバーコード情報であることを特徴とする請求項３に記載の加熱調理器。
【請求項１２】
前記取得手段により取得される前記被調理物の包装物に記載されている調理情報が調理時間や調理種別等の文字情報であることを特徴とする請求項３に記載の加熱調理器。
【発明の詳細な説明】
【技術分野】
【０００１】
本発明は、ガスオーブンレンジや電子レンジ等の加熱調理器に関し、特に、被調理物（食品）を自動的に調理することができる加熱調理器に関する。
【背景技術】
【０００２】
最近のガスオーブンレンジや電子レンジ等の加熱調理器では、調理情報（調理メニュー）のボタンを選択することにより、自動的に被調理物を調理することが可能となっている。
【０００３】
例えば、自動的に被調理物の種類を識別し、最適の調理方法を判定して自動的に被調理物を調理する加熱調理器が開示されている（例えば、特許文献１参照）。特許文献１では、加熱調理器内に搭載された電子カメラで被調理物を撮影することによって被調理物を識別し、又は被調理物の包装容器等のバーコート等を読み取って被調理物を識別し、然る後に当該被調理物の調理情報を特定して調理を行うことが提案されている。
【０００４】
また、外部の調理情報や調理プログラムを加熱調理器に取り込んで、自動的に被調理物を調理する加熱調理器が開示されている（例えば、特許文献２参照）。特許文献２では、インターネット上の調理情報や中央コンピュータ内の調理プログラムを携帯電話等の端末機器で受信した後、無線インターフェイス等で端末機器と加熱調理装置とを接続することによって、加熱調理器は調理情報を受信・記録し、記録された調理情報や調理プログラムに基づいて自動的に調理を行うことが提案されている。
【特許文献１】実用新案登録第３０３６６７１号公報
【特許文献２】特開２００１−３４３１２８号公報
【発明の開示】
【発明が解決しようとする課題】
【０００５】
しかしながら、特許文献１及び２に示す加熱調理器では、被調理物毎にユーザーの好みに合せた調理情報（調理レシピ）を認識することはできなかった。
【０００６】
従って、好みの調理レシピによって調理するためには、ユーザーは加熱調理器を使用する度に、被調理物に対応する調理情報を加熱調理器に予め設定されている調理情報から選択しなければならなかった。更に、調理情報のうち、例えば「温め」を選択しても、自動的にユーザーの好みの加減で調理されるわけではないので、その度にユーザーがより細かい設定をする必要があった。
【０００７】
本発明は、上記課題に鑑みてなされたものであり、被調理物毎にユーザーの好みに合せた調理レシピに対応する調理情報を認識し、認識した調理情報に従って自動的に被調理物を調理することができる加熱調理器を提供することを目的とする。
【課題を解決するための手段】
【０００８】
上記目的を達成するために本発明の加熱調理器は、被調理物を調理する加熱調理器であって、前面にかざされた容器を撮影する撮像手段と、被調理物を収容する容器の映像情報とその容器に関連付けられた個別調理情報とを記憶する情報記憶手段と、扉の開閉を検知する検知手段と、映像手段の前に容器がかざされることにより、撮像手段によって撮影された容器の映像情報に基づき情報記憶手段から関連する個別調理情報を読み出し、検知部により扉が閉じられたことが検知されると、読み出した個別調理情報に従って調理を開始する調理制御手段とを備えたことを特徴とする。
【０００９】
これによって、被調理物毎にユーザーの好みに合せた調理レシピに対応する調理情報を認識し、認識した調理情報に従って自動的に被調理物を調理することができる加熱調理器が提供される。
【００１０】
つまり、ユーザーは日常的に使用するコップやとっくり等の容器を加熱調理器に備えている電子カメラ等の撮像手段の前にかざすだけで所望の調理情報が選択され、加熱調理器内へ被調理物をセットして扉を閉じるだけで調理が開始される。このとき、その容器に対応する調理情報が自動的に表示されるようにしてもよい。なお、加熱調理器は、このような自動的に調理が開始されるモードを選択しない機能を有することができるのは言うまでもない。また、ここでは容器としているが、容器以外の物品、例えば、食品又は食品包装であってもよい。すなわち、物品の映像情報と調理情報が関連付ければよい。
【００１１】
また、上記構成において、情報記憶手段に容器の映像情報とその容器に関連付けられる個別調理情報とを新たに登録するための登録手段を更に備え、登録手段は、撮像手段の前に容器がかざされることにより、撮像手段によって撮影された容器の映像情報を情報記憶手段に登録するとともに、合せて入力された個別調理情報を容器の映像情報に関連付けて情報記憶手段に登録することができることが好ましい。
【００１２】
また、映像情報と個別調理情報とを新たに登録する場合において、撮影機能と送信機能を有する外部機器から送信されてくる各種情報を受信する受信手段を備え、登録手段は、外部機器から送信されてくる容器の映像情報を情報記憶手段に登録することができる。これによって、加熱調理器に備えている撮像手段以外の手段、例えば、デジタルカメラ、デジタルビデオカメラ、カメラ付携帯電話等で映像情報を撮影し、情報記憶手段に登録して用いることができる。
【００１３】
また、上記構成において、情報記憶手段に記憶されている容器の映像情報及び個別調理情報を表示する表示手段と、この表示手段に表示されている内容を変更することができる変更手段とを備えることが好ましい。これによって、被調理物の調理情報を容易に変更することができる。例えば、ユーザーはそのときの気温に合せて被調理物の温度を変更することができる。この場合、設定変更は登録して次回から同じ表示がされるようにしてもよいし、その時だけの調理情報としてもよい。
【００１４】
更に、上記構成において、容器の映像情報は、容器の形状、柄及び色のうち少なくとも１つを含むことが好ましい。これによって、容器の形状、柄及び色のうちのどれか１つが異なれば容器を区別することができる。例えば、家族で同じ形状のコップを使用している場合に、同じ飲み物を入れて加熱調理する場合、同じようなコップでもそれぞれの柄又は色が異なれば、その違いを認識することができる。
【００１５】
上記目的を達成するために本発明の加熱調理器は、被調理物を調理する加熱調理器であって、前面にかざされた容器及び被調理物の包装物を撮影する撮像手段と、被調理物の包装物に記載されている調理情報を取得する取得手段と、被調理物を収容する容器の映像情報とその容器に関連付けられた被調理物の個別調理情報を記憶する情報記憶手段と、扉の開閉を検知する検知手段と、映像手段の前に容器がかざされることにより、撮像手段によって撮影され、取得手段により取得された調理情報の中の調理種別に基づき情報記憶部から関連する個別情報を読み出し、検知部により扉が閉じられたことが検知されると、読み出した個別調理情報に従って調理を開始する調理制御手段とを備えたことを特徴としている。
【００１６】
これによって、前述の加熱調理器同様、被調理物毎にユーザーの好みに合せた調理情報を認識し、認識した調理情報に従って自動的に被調理物を調理することができる加熱調理器が提供されることに加え、包装物に記載されている内容をそのまま加熱調理器の調理情報として利用して設定することができる。
【００１７】
この場合、被調理物の包装物に記載されているバーコード情報から調理情報を取得することができる。
【００１８】
また、被調理物の包装物に記載されている調理時間や調理種別等の文字情報から調理情報を取得することができる。
【００１９】
また、上記構成において、情報記憶手段に容器の映像情報とその容器に関連付けられる個別調理情報とを新たに登録するための登録手段を更に備え、登録手段は、撮像手段の前に容器がかざされることにより、撮像手段によって撮影された容器の映像情報を情報記憶手段に登録するとともに、撮像手段の前に包装物がかざされることにより、撮像手段によって撮影された包装物に記載されている調理情報を取り込み、合せて入力された調理情報を加味した個別調理情報を容器の映像情報に関連付けて情報記憶手段に登録することができることが好ましい。
【００２０】
また、映像情報と調理情報を加味した個別調理情報とを新たに登録する場合において、情報記憶手段に容器の映像情報とその容器に関連付けられる個別調理情報とを登録する登録手段と、ネットワーク上に公開された各種被調理物の調理情報を取得可能な第２の取得手段とを備えており、登録手段は、撮像手段の前に容器がかざされることにより、撮像手段によって撮影された容器の映像情報を情報記憶手段に登録するとともに、第２の取得手段より所望の被調理物の調理情報を取り込み、合せて入力された調理情報を加味した個別調理情報を容器の映像情報に関連付けて前記情報記憶手段に登録することができることが好ましい。
【００２１】
これによって、インターネット上のホームページから調理情報をダウンロードできるので、調理ミスを防ぐことができ、適切な調理情報が設定できる。また、被調理物を提供する側にとっては、調理情報の設定を単調なものからよりきめ細かい設定にすることが許容されることになり、被調理物のレパートリーを容易に増やすことができる。
【００２２】
また、第２の取得手段がネットワークに接続可能な情報端末とすることができ、登録手段は、情報情報端末から情報伝達手段を介して被調理物の調理情報を取り込むことができる。この場合、情報伝達手段は、無線若しくは有線の通信回線、又は被調理物の調理情報を記憶した着脱可能な記憶媒体とすることができる。
【００２３】
上記構成においても前述の加熱調理器と同様、デジタルカメラ、デジタルビデオカメラ、カメラ付携帯電話等の撮影機能と送信機能を有する外部機器から送信されてくる各種情報を受信する受信手段を備えており、登録手段は、外部機器から送信されてくる容器の映像情報を情報記憶手段に登録することができる。
【００２４】
また、この場合も、被調理物の調理情報を容易に変更することができるように、情報記憶手段に記憶されている容器の映像情報及び個別調理情報を表示する表示手段と、この表示手段に表示されている内容を変更することができる変更手段とを備えることが好ましい。
【００２５】
更に、この場合も同様に容器の映像情報は、容器の形状、柄及び色のうち少なくとも１つを含むことが好ましい。
【発明の効果】
【００２６】
本発明の加熱調理器によれば、被調理物毎にユーザーの好みに合せた調理レシピに対応する調理情報を認識し、認識した調理情報に従って自動的に被調理物を調理することができる加熱調理器が提供される。つまり、従来は加熱調理器内に被調理物をセットしてから、個人の好みに合せて調理情報を設定していたが、本発明によれば、容器を電子カメラ等の撮像手段にかざすだけで設定されている個人の好みの調理レシピに対応する調理情報が設定され、被調理物をセットして扉を閉めるだけで調理が開始される。
【００２７】
また、被調理物の包装物に記載されている内容やホームページに公開されている内容をそのまま加熱調理器の調理情報として利用して設定することができる。
【発明を実施するための最良の形態】
【００２８】
以下、本発明の実施の形態について図面を参照して説明する。
【００２９】
本実施の形態では、説明を簡単にするために加熱調理器として電子レンジを例に挙げて説明するが、本発明はガスオーブンレンジ等、あらゆる加熱調理器に適用される。
【００３０】
＜実施形態１＞
図１は、本実施形態１に係る加熱調理器である電子レンジの概略構成を示すブロック図である。
【００３１】
図１に示す電子レンジ１００は調理制御部１によって制御されており、調理制御部１には、撮像部２、容器検知部３、情報登録部４、情報記憶部５、キー入力部６、扉開閉検知部７、調理機構部８、表示パネル１２が接続されている。ここで、撮像部２は、電子カメラ１３（図３参照）とその付属部品からなり、被調理物を入れる容器を撮影する。容器検知部３は、撮像部２の前にかざされた容器を検知する。情報登録部４は、新たな容器の映像情報及び被調理物の調理情報を登録し、それらの情報を互いに関連付ける。情報記憶部５は、撮像部２によって撮影された容器の映像情報と被調理物の調理情報を記憶する。キー入力部６では、実際に被調理物の調理情報を入力する。扉開閉検知部６は、調理機構部８にある扉の開閉を検知する。表示パネル１２は、各種調理情報や電子カメラ１３によって撮影された容器の映像などを表示する。そして、調理制御部１は、撮像部２の電子カメラ１３によって撮影された容器の映像情報に基づき情報記憶部５から関連する調理情報を読み出し、扉開閉検知部７により電子レンジ１００の扉が閉じられたことが検知されると、読み出した調理情報に従って調理を開始する。
【００３２】
図２は、キー入力部６のうち電子レンジ１００の前面に現れている部分の詳細を示している。そこには、モードボタン９、登録ボタン１０、ストロークボタン１１、表示パネル１２があり、モードボタン９で操作モードの切り替えを行い、表示パネル１２を見ながら登録ボタン１０及びスクロールボタン１１を用いて設定する。
【００３３】
以下、図１の電子レンジ１００が自動的に調理を開始するための操作を説明する。
【００３４】
図３は、図１の電子レンジ１００が設定された調理情報に従って自動的に被調理物の調理を開始するまでの手順を示している。
【００３５】
ここでは、４人家族が各人の好みに合せて自動的に牛乳を温める場合を例に説明する。
【００３６】
図４は、この家族がそれぞれ牛乳を温めるときの各容器と調理時間を示している。
【００３７】
この例では、パパのコップ、ママのコップ、長男のコップ、長女のコップなど牛乳を入れて温めるとき、各個人で温かさの好みが、パパは「牛乳温め２分」、ママは「牛乳温め１分３０秒」、長男は「牛乳温め１分４０秒」、長女は「牛乳温め１分２０秒」と異なる。そして各人は、異なる柄のコップを使用して牛乳を温める。
【００３８】
コップの映像情報及び被調理物の調理情報が登録されていない場合には、これらの情報を登録する。登録方法としては、まずモードボタン９を用いて電子レンジ１００を登録モードに設定する。この後、パパ、ママ、長男、長女の各人がそれぞれ牛乳を飲むときのコップを撮像部２の電子カメラ１３の前にかざすと、これを容器検知部３が検知し検知信号を調理制御部１に送る。調理制御部１は、この検知信号に基づき、撮像部２を制御して電子カメラ１３により前にかざされているコップを撮影する。
【００３９】
続いて、各人は、図４の調理項目である牛乳と調理時間の登録を、表示パネル１２を見ながら行う。すなわち、モードボタン９で調理項目と調理時間とを選択し、スクロールボタン１１を使用して調理項目に「牛乳」を設定し、調理時間に好みの調理時間を設定して、最後に登録ボタン１０を押す。
【００４０】
これにより、情報登録部４は、先程撮影されたコップの映像情報と、ユーザによって入力された調理項目及び調理時間とを対応付けて情報記憶部５に記憶する。ここで、登録される映像情報は、各コップの特徴的な部分の情報であり、本実施形態では、コップ全体の形状や色に加えて、コップの柄も特徴部分として登録される。
【００４１】
以上で登録が完了したので、各人は、自分の好みに合せて牛乳を自動的に温めることができる。
【００４２】
パパが馬の絵の入った自分のコップ１５に入れた牛乳を自分の好みに合わせて温める場合、図３に示すように、まずパパは自分のコップ１５を電子カメラ１３の前にかざす。これにより、電子カメラ１３がそのコップ１５を撮影し、その映像情報を調理制御部１に送る。調理制御部１は、この映像情報を基に情報記憶部５を検索し、該当する情報を読み出して表示パネル１２に表示する。ここでは、「パパの牛乳、時間：２分」と表示される。
【００４３】
表示パネル１２の表示が正しければ、パパが牛乳を入れたコップ１５を電子レンジ１００内に入れて電子レンジ１００の扉１４を閉めれば、電子レンジ１００は自動的に時間２分で牛乳を温める調理が開始される。
【００４４】
また、表示パネル１２に表示された設定内容は変更することができる。設定を変更する場合は、前述のようにスクロールボタン１１等を使用して行うことができる。この設定変更は、登録して次回から同じ表示がされるようにしてもよいし、その時だけの調理情報としてもよい。
【００４５】
なお、このように自分が登録した調理情報に基づいて自動的に牛乳を温めるモード（自動モード）以外に、予め電子レンジ１００に組み込まれた標準モードで牛乳を温めることもできる。自動モードと標準モードの選択は、モードボタン９を押すことによって行う。
【００４６】
次に、図５に示すフローチャートを参照して、自動的に調理を開始する動作と情報を登録する動作を再度説明する。図５では、容器としてコップを例に挙げている。
【００４７】
図５は、容器としてコップを例に上記処理の流れを示している。
【００４８】
まず、電子レンジ１００の電源を入れ（ステップＳ１）、電子レンジ１００に備えられている電子カメラ１３の前にコップをかざす（ステップＳ２）。
【００４９】
これにより、容器検知部３がコップ１５を検知し、調理制御部１が撮像部２を制御して電子カメラ１３がコップ１５を撮影する（ステップＳ３）。この映像情報は、調理制御部１へ送られる。調理制御部１は、送られてきた映像情報からコップ１５の特徴を認識し（ステップＳ４）、その特徴を基に情報記憶部５を検索して、情報記憶部５にそのコップ１５の情報が登録されているかを確認する（ステップＳ５）。情報記憶部５に登録されている場合は、電子レンジ１００の表示パネル１２に登録内容を表示する（ステップＳ６）。その表示内容でよいかどうかをユーザーが判断し（ステップＳ７）、その表示内容でよければ電子レンジ１００内に、牛乳の入ったコップ１５をセットする（ステップＳ８）。
【００５０】
電子レンジ１００の扉１４を閉める（ステップＳ９）と、これを扉開閉検知部７が検知し、自動的に調理が開始される。
【００５１】
ここで、ステップＳ５において、コップ１５が情報記憶部５に登録されていない場合、及びステップＳ７において表示内容に誤りがある場合について説明する。
【００５２】
ステップＳ５において、コップ１５が登録されていない場合には、電子レンジ１００を登録モードにし（ステップＳ１０）、登録するコップ１５を電子カメラ１３の前にかざし登録する（ステップＳ１１）。登録方法の詳細はすでに説明した通りである。登録の確認は、表示パネル１２にコップ１５の映像を表示することによって行うことができる（ステップＳ１２）。また、ユーザーは調理項目、調理時間等の調理情報を入力する（ステップＳ１３）。なお、調理情報以外にも表示パネル１２に表示させたいコメント「パパの牛乳」等を入力することができる。入力した内容に誤りがなければ登録ボタン１０を押して登録が完了し（ステップＳ１４）、ステップＳ７に進んで登録した調理情報が表示パネル１２に表示され、以下上記同様コップ１５を電子レンジ１００内に入れ（ステップＳ８）、電子レンジ１００の扉１４を閉める（ステップＳ９）と自動的に調理が開始される。
【００５３】
ステップＳ７において、ユーザーが表示パネル１２の表示内容に誤りがあると判断した場合は、ステップＳ１５に進む。ステップＳ１５では、ユーザーがコップ１５と表示された内容が異なると判断した場合、もう一度コップ１５の認識のやり直しを行う（ステップＳ１６）。そのためには、再度、ステップＳ３に戻りコップ１５を電子カメラ１３の前にかざしてコップ１５を撮影する。以下、ステップＳ４以降の処理を行う。一方、認識に誤りはないが表示パネル１２の表示内容や調理情報を変更する場合は、ステップＳ１７に進み必要があれば内容や調理情報を変更する。そして、ユーザーは変更した内容を登録するか否かを判断する（ステップＳ１８）。
【００５４】
変更した内容を登録する場合は、ステップＳ１４に進みその内容を登録する。そして、ステップＳ７に進んで登録した調理情報が表示パネル１２に表示されるので変更した表示内容を確認し、その内容でよければステップＳ８に進む。一方、変更した内容を登録しない場合は、そのままステップＳ８に進む。ステップＳ８でコップ１５を電子レンジ１００内に入れ、電子レンジ１００の扉１４を閉める（ステップＳ９）と自動的に調理が開始される。
【００５５】
＜実施形態２＞
本実施形態２では、被調理物の包装物に記載されている調理情報を取得する機能を電子レンジが更に有している。本実施形態２では、実施形態１における同一部分については、同一符号を付して詳しい説明を省略し、実施形態１と異なる点を中心に説明する。
【００５６】
図６は、本実施形態２に係る加熱調理器である電子レンジの概略構成を示すブロック図である。
【００５７】
図６に示す電子レンジ６００は、調理情報取得部６０が調理制御部１に接続されている点が図１に示す電子レンジ１００と異なる以外は、実施形態１における電子レンジ１００と同じであり、調理制御部１には、撮像部２、容器検知部３、情報登録部４、情報記憶部５、キー入力部６、扉開閉検知部７、調理機構部８、表示パネル１２が接続されている。
【００５８】
調理情報を取得する方法について、４人の家族がインスタントスープを調理する場合を例に説明する。
【００５９】
図７（ａ）は、４人の家族が、各インスタントスープを電子レンジ６００で温めて調理する場合の各人の容器と調理時間を示している。
【００６０】
ベジタブルスープの包装物の表示では、ベジタブルスープの大は調理時間が３分であり、ベジタブルスープの小は調理時間が２分である。そして、パパはベジタブルスープの大を青色の皿に入れて調理し、ママはベジタブルスープの小を白色の皿に入れて調理する。また、コーンスープの包装物の表示では、コーンスープの大の調理時間が３分３０秒であり、コーンスープの小の調理時間が２分３０秒である。そして、長男は、コーンスープの大を青色のマグカップで調理し、長女は白色のマグカップで調理するものとする。
【００６１】
ここで、各容器の登録は、上記実施形態１と同じであるので、ここでは説明を省略する。
【００６２】
一方、調理項目と調理時間を取得し登録するには、次のようにする。
【００６３】
すなわち、被調理物の包装物を電子カメラ１３の前にかざして包装物を撮影し、その映像情報を調理制御部１を介して調理情報取得部６０に送る。調理情報取得部６０は、具体的にはＯＣＲ（Ｏｐｔｉｃａｌ  Ｃｈａｒａｃｔｅｒ  Ｒｅａｄｅｒ）等の文字認識手段や画像処理手段を備えている。従って、調理情報取得部６０では、送られてきた映像情報から、包装物に付与されているバーコードまたはその包装物に表記されている調理項目及び調理時間等の文字情報を認識し、調理情報に変換して情報登録部４に送る。
【００６４】
情報登録部４では、先に撮影された容器の映像情報と、調理情報取得部６０から送られてきた調理情報（調理項目及び調理時間等）とを対応付けて表示パネル１２に表示する。ユーザーは、その表示内容でよければ登録ボタン１０を押す。これにより、情報登録部４は、表示されている容器の映像情報と調理情報とを対応付けて情報記憶部５に記憶する。
【００６５】
図７（ａ）に示す登録がなされ、例えば、白い皿を電子カメラ１３の前にかざすと調理時間２分が表示パネル１２に表示され、ベジタブルスープ小を白い皿に入れて、電子レンジ６００にセットして扉１４を閉じると自動的に調理が開始される（図３参照）。
【００６６】
上記登録の際、例えば調理時間を各人に合わせて変更したい場合には、容器の映像情報と調理情報（調理項目及び調理時間等）とが表示パネル１２に表示されている状態において、スクロールボタン１１を使用して調理時間を好みの調理時間に変更し、この後、登録ボタンを押す。これにより、個人の好みに応じた調理情報が登録されることになる。
【００６７】
例えば、ベジタブルスープ大は包装物に表記されている調理時間が３分であるが、図７（ｂ）に示すように、パパとママはどちらもベジタブルスープの大を調理し、パパは調理時間を２分５０秒に変更し、ママはこれを３分１０秒に変更することで、同じベジタブルスープの大の包装物から取得した調理情報であっても、各人の好みに応じた調理情報として登録することができる。
【００６８】
図７（ｂ）では、白い皿を電子カメラ１３の前にかざすと調理時間３分１０秒が表示パネル１２に表示され、ベジタブルスープ大を白い皿に入れて、電子レンジ６００にセットして扉１４を閉じると自動的に調理が開始される（図３参照）。
【００６９】
以上説明したように、市販されている冷凍食品やインスタント食品等のバーコードや食品の種類、冷凍か冷蔵かまた調理時間などの表示を、電子カメラを使って読み取ることができ、読み取った文字をそのまま電子レンジの調理情報として設定することができる。また、読み取って登録した調理情報を、個人の好みに合せて変更することもできる。
【００７０】
＜実施形態３＞
本実施形態３は、実施形態１又は２において、被調理物の調理情報をインターネット上のホームページから取得する機能を更に有する場合である。
【００７１】
ここでは、電子レンジ１００（図１参照）又は電子レンジ６００（図６参照）が、ホームページから被調理物の調理情報を取得する方法について説明する。
【００７２】
当該調理情報を取得するために、電子レンジ１００，６００は、インターネットに接続できる機能を搭載した携帯電話、ＰＤＡ（Ｐｅｒｓｏｎａｌ  Ｄｅｇｉｔａｌ  Ａｓｓｉｓｔａｎｃｅ）、パソコン等の情報端末と通信できる機能を有している。そして、これら情報端末がインターネットに接続してホームページから被調理物の調理情報を取得し、これを例えばＲＳ−２３２Ｃ等の通信回線や赤外線通信等の無線回線を介して電子レンジ１００，６００に送信するようにしてもよい。または、メモリーカード等の記憶メディアを着脱可能な情報端末である場合には、ホームページから取得した調理情報をこの記憶メディアに記憶した後、これを情報端末から抜き取り、電子レンジ１００，６００の図示しないインターフェース部に装着して、電子レンジ１００，６００に取り込むようにしてもよい。
【００７３】
＜実施形態４＞
本実施形態４は、容器の映像情報を電子レンジに登録する方法のみが実施形態１又は２と異なるので、ここでは、その方法についてのみ説明する。
【００７４】
本実施形態４においては、容器の映像情報を取得するために、電子レンジ搭載のカメラ以外に外部の撮影装置、例えば、デジタルカメラ、デジタルビデオカメラ、カメラ付携帯電話で撮影した映像情報を赤外線通信等によって電子レンジに送信する。
【００７５】
図８は、カメラ付携帯電話を使用して容器の映像のデジタル情報を登録する手順を示している。
【００７６】
ユーザーは、図８に示すように携帯電話８０でコップ１５を撮影する。そして、その映像情報を携帯電話８０から赤外線通信等によって、電子レンジ１００、６００に送信する。電子レンジ１００、６００は、送信されるデータを受信する手段を備えており、モードボタン９によって登録モードに設定されている場合には、受信されたコップ１５の映像情報を、電子レンジ１００、６００が備えている情報記憶部５に記憶する。
【産業上の利用可能性】
【００７７】
本発明の加熱調理器は、家庭用の加熱調理器に利用される他、外食産業にも適用可能である。
【図面の簡単な説明】
【００７８】
【図１】本発明の実施形態１に係る電子レンジの概略構成を示すブロック図である。
【図２】本説明の実施形態１に係る電子レンジのキー入力部の構成を説明するための図である。
【図３】本説明の実施形態１に係る電子レンジが被調理物を調理する方法を説明するための図である。
【図４】本説明の実施形態１に係る電子レンジで調理する際に使用する容器、調理項目及び調理時間を示す図である。
【図５】本説明の実施形態１に係る電子レンジが被調理物を調理する動作手順を示すフローチャート図である。
【図６】本発明の実施形態２に係る電子レンジの概略構成を示すブロック図である。
【図７】本説明の実施形態２に係る電子レンジで調理する際に使用する容器、調理項目及び調理時間を示す図であり、（ａ）は被調理物の包装物に記載されている調理情報を登録した例を示す図、（ｂ）は各人の好みに応じて調理情報を登録した例を示す図である。
【図８】本説明の実施形態４に係る電子レンジにおいて、携帯電話を使用して容器の映像情報を登録する方法を説明するための図である。
【符号の説明】
【００７９】
１  調理制御部
２  撮像部
３  容器検知部
４  情報登録部
５  情報記憶部
６  キー入力部
７  扉開閉検知部
８  調理機構部
９  モードボタン
１０  登録ボタン
１１  スクロールボタン
１２  表示パネル
１３  電子カメラ
１４  扉
１５  コップ
８０  携帯電話
１００、６００  電子レンジ
【図１】
2005140418.tif 000003
【図２】
2005140418.tif 000004
【図３】
2005140418.tif 000005
【図４】
2005140418.tif 000006
【図５】
2005140418.tif 000007
【図６】
2005140418.tif 000008
【図７】
2005140418.tif 000009
【図８】
2005140418.tif 000010